(57)【要約】【課題】汚れが溜まり難く、見栄えがよく、かつ保温性をより向上させた便蓋を提供する。【解決手段】便器本体上に設けられた支持具に対して起倒回動可能に連結される便蓋において、  支持具に起倒回動可能に連結される内蓋１０と、内蓋１０の上面１１及び外側面１２を覆う外蓋２０とを有する。【選択図】図１
2008142214.tif 000002
【特許請求の範囲】
【請求項１】
便器本体上に設けられた支持具に対して起倒回動可能に連結される便蓋において、
前記支持具に起倒回動可能に連結される内蓋と、該内蓋の上面及び外側面を覆う外蓋とを有することを特徴とする便蓋。
【請求項２】
前記外蓋の上面及び外側面を覆う表面材を有する請求項１記載の便蓋。
【請求項３】
前記表面材の端部は、前記外蓋の端面で折り返され、該外蓋の内側面の端部と前記内蓋の外側面の端部との間に挟み込まれる請求項２記載の便蓋。
【請求項４】
前記外蓋の端面と前記内蓋の端面とを覆うモール部材を有する請求項１乃至３のいずれか１項記載の便蓋。
【請求項５】
前記内蓋の上面と前記外蓋の下面との間に空間が確保されている請求項１乃至４のいずれか１項記載の便蓋。
【請求項６】
前記空間に断熱材が充填されている請求項５記載の便蓋。
【請求項７】
前記内蓋の下面に設けられ、前記支持具に対して起倒回動可能に連結される便座の上面に当接する弾性部材を有する請求項１乃至６のいずれか１項記載の便蓋。
【発明の詳細な説明】
【技術分野】
【０００１】
本発明は便蓋に関する。
【背景技術】
【０００２】
特許文献１の図１〜図３に従来の便蓋が開示されている。この便蓋は、便器本体上に設けられた支持具に対して起倒回動可能に連結された便蓋本体と、便蓋本体の外周角部の前部又は一部に形成された凹形状部を覆う枠パネルとを有している。
【０００３】
このような構成である従来の便蓋は、便蓋本体の外周角部に形成された凹形状部を枠パネルで覆うため、この部分からの放熱が抑制され、保温性の高いものになっている。このため、便器本体の上面の暖房便座を覆うようにこの便蓋を取り付ければ、暖房便座の省エネ性を向上することができる。
【０００４】
【特許文献１】特開２００５−１３１０９３号公報
【発明の開示】
【発明が解決しようとする課題】
【０００５】
しかし、上記従来の便蓋では、便蓋本体と枠パネルとの境界部分が便蓋の表面に現われており、そこに汚れが溜まり易い。
【０００６】
また、便蓋本体が樹脂成形品である場合、便蓋本体に設けられた軸受部等の厚肉部分の表面側にくぼみ、いわゆる「ひけ」が生じることがある。この便蓋は、軸受部の表面側等を枠パネルで覆っていないため、この部分に「ひけ」が生じると見栄えが損なわれてしまう。
【０００７】
さらに、この便蓋は、上面の中央部分が便蓋本体のみの一重構造であるため、この部分から放熱し、保温性が不十分である。このため、便器本体の上面の暖房便座を覆うようにこの便蓋を取り付けても、暖房便座の省エネ性を十分に向上させることができない。
【０００８】
本発明は、上記従来の実情に鑑みてなされたものであって、汚れが溜まり難く、見栄えがよく、かつ保温性をより向上させた便蓋を提供することを解決すべき課題としている。
【課題を解決するための手段】
【０００９】
本発明の便蓋は、便器本体上に設けられた支持具に対して起倒回動可能に連結される便蓋において、
前記支持具に起倒回動可能に連結される内蓋と、該内蓋の上面及び外側面を覆う外蓋とを有することを特徴とする。
【００１０】
このような構成である本発明の便蓋では、内蓋の上面及び外側面が外蓋に覆われているため、外蓋と内蓋との境界部分が表面に露出しない。このため、便蓋の表面に汚れが溜まり難い。
【００１１】
また、この便蓋では、内蓋を樹脂成形品にした場合、内蓋の軸受部等の厚肉部分の表面側に生じ得る「ひけ」を外蓋によって隠蔽することができる。
【００１２】
さらに、この便蓋では、便蓋の全体が内蓋及び外蓋の二重構造であるため、保温性がより向上する。このため、便器本体の上面の暖房便座を覆うようにこの便蓋を取り付ければ、暖房便座の省エネ性をより向上させることができる。
【００１３】
したがって、本発明の便蓋は、汚れが溜まり難く、見栄えがよく、かつ保温性をより向上させることができる。
【００１４】
本発明の便蓋は、外蓋の上面及び外側面を覆う表面材を有することが好ましい。この場合、便蓋が任意の表面材で装飾され、見栄えのよいものとなる。表面材としては、革製、布製又は樹脂製等の種々のものを採用することができる。
【００１５】
本発明の便蓋において、表面材の端部は、外蓋の端面で折り返され、外蓋の内側面の端部と内蓋の外側面の端部との間に挟み込まれることが好ましい。この場合、表面材の端部が外部に露出しないため、便蓋の裏面側をすっきりとした外観にすることができる。また、表面材が外蓋から剥がされ難い。
【００１６】
本発明の便蓋は、外蓋の端面と内蓋の端面とを覆うモール部材を有することが好ましい。この場合、外蓋の端面と内蓋の端面との間から水等が外蓋と内蓋との間に入り込むことを効果的に防止することができる。また、外蓋の端面と内蓋の端面とを隠蔽することができ、この部分をすっきりとした外観にすることができる。
【００１７】
本発明の便蓋は、内蓋の上面と外蓋の下面との間に空間が確保されていることが好ましい。この場合、空間によって断熱が行なわれることから、便蓋からの放熱がより抑制され、便蓋の保温性をより向上させることができる。
【００１８】
本発明の便蓋は、空間に断熱材が充填されていることが好ましい。この場合、断熱材が断熱効果を高めることから、便蓋からの放熱がさらに抑制され、便蓋の保温性をさらに向上させることができる。
【００１９】
本発明の便蓋は、内蓋の下面に設けられ、支持具に対して起倒回動可能に連結される便座の上面に当接する弾性部材を有することが好ましい。この場合、内蓋に弾性部材を取り付けるための構造、例えば凹部を設け、外蓋を単純な形状にすることができる。この場合、外蓋の肉厚を均一にすることができるため、外蓋を樹脂成形品にした場合であっても、外蓋の表面側に「ひけ」が生じ難く、見栄えの良い便蓋にすることができる。また、内蓋の上面と外蓋の下面との間に確保された空間を利用して弾性部材を取り付けるための凹部を形成することにより、内蓋の下面に弾性部材を必要最小限の大きさで突出させることができる。このようにすれば、内蓋の下面の凹凸を小さくすることができるため、便蓋の裏面側の汚れの拭き取りを容易にすることができる。また、便蓋の裏面側をすっきりとした見栄えにすることができる。
【発明を実施するための最良の形態】
【００２０】
以下、本発明を具体化した実施例１、２を図面を参照しつつ説明する。
【実施例１】
【００２１】
実施例１の便蓋は、便器本体上に設けられた支持具（図示せず）に対して起倒回動可能に連結される。図１〜図３に示すように、この便蓋は、支持具に起倒回動可能に連結される内蓋１０と、内蓋１０の上面１１及び外側面１２を覆う外蓋２０とを有している。
【００２２】
内蓋１０は、図１に示すように、支持具の回動軸に連結する軸受部１８を有している。図２にも示すように、内蓋１０の外側面１２には横方向に延びる凸条部１５が設けられ、外蓋の内側面２４には内蓋１０の凸条部１５に嵌合する横方向に延びる凹条部２６が設けられている。図３に示すように、内蓋１０の凸条部１５が外蓋２０の凹条部２６に嵌合して、内蓋１０と外蓋２０とが組み付けられる。
【００２３】
この便蓋は、外蓋２０の上面２１及び外側面２２を覆う革製の表面材３０も有している。表面材３０は、図２に示すように、外蓋２０に帖着され、その端部３１は、外蓋２０の端面２３で折り返され、図３に示すように、外蓋２０の内側面２４の端部２５と内蓋１０の外側面１２の端部１３との間に挟み込まれる。内蓋１０の外側面１２の端部１３は、外蓋２０の内側面２４の端部２５との間に表面材３０を挟み込むため、表面材３０の厚さと略同じ厚さ分が切り欠かれている。
【００２４】
この便蓋は、外蓋２０の端面２３（表面材３０が折り返されている）と内蓋１０の端面１４とを覆うモール部材４０も有している。モール部材４０は、表面材３０の折返し端面と内蓋１０の端面１４とに接着剤により帖着されている。図示しないが、便蓋が表面材３０を有さない場合には、逆Ｔ字状のモール部材を用意し、外蓋２０の内側面２４の端部２５と内蓋１０の外側面１２の端部１３との間にこのモール部材の垂直部分を挟み込んでモール部材を取り付けても良い。
【００２５】
このような構成である実施例１の便蓋では、内蓋１０の上面１１及び外側面１２が外蓋２０及び表面材３０に覆われているため、外蓋２０と内蓋１０との境界部分が表面に露出しない。このため、便蓋の表面に汚れが溜まり難くい。
【００２６】
また、この便蓋では、内蓋１０の軸受部１８等の厚肉部分の表面側に生じ得る「ひけ」を外蓋２０によって隠蔽することができる。
【００２７】
また、この便蓋では、便蓋の全体が内蓋１０、外蓋２０及び表面材３０の三重構造であるため、保温性がより向上する。このため、便器本体の上面の暖房便座を覆うようにこの便蓋を取り付ければ、暖房便座の省エネ性をより向上させることができる。
【００２８】
したがって、実施例１の便蓋は、汚れが溜まり難く、見栄えがよく、かつ保温性をより向上させることができる。
【００２９】
また、実施例１の便蓋は、革製の表面材３０で装飾され、見栄えのよいものとなる。また、表面材３０の端部３１が外部に露出しないため、便蓋の裏面側をすっきりとした外観にすることができる。また、表面材３０が外蓋２０から剥がされ難い。
【００３０】
また、実施例１の便蓋は、モール部材４０により、外蓋２０の端面２３と内蓋１０の端面１４との間から水等が外蓋２０と内蓋１０との間に入り込むことを効果的に防止することができる。また、外蓋２０の端面２３と内蓋１０の端面１４とを隠蔽することができ、この部分をすっきりとした外観にすることができる。
【実施例２】
【００３１】
図４及び図５に示すように、実施例２の便蓋は、内蓋１０の上面１１と外蓋２０の下面２７との間に空間５０が確保され、この空間５０に断熱材６０が充填されている。
【００３２】
この便蓋は、便器本体９０上に設けられた支持具（図示せず）に対して起倒回動可能に連結される。この便蓋は、内蓋１０の下面に設けられ、支持具に対して起倒回動可能に連結される便座８０の上面８１に当接する弾性部材７０を有する。弾性部材７０を取り付けるための凹部１７が内蓋１０に形成されている。凹部１７は内蓋１０の上面１１と外蓋２０の下面２７との間に確保された空間５０を利用して設けられている。弾性部材７０は、基部が凹部１７に挿入され、内蓋１０の下面１６から必要最小限の大きさで突出している。他の構成は実施例１と同様である。このため、同一の構成については、同一の符号を付し詳細な説明は省略する。
【００３３】
このような構成である実施例２の便蓋では、実施例１の便蓋と同様の作用効果を奏することができる。
【００３４】
特に、この便蓋では、内蓋１０の上面１１と外蓋２０の下面２７との間に空間５０が確保され、この空間５０に断熱材６０が充填されているため、便蓋の保温性がさらに向上する。
【００３５】
また、この便蓋では、内蓋１０に弾性部材７０を取り付けるための凹部１７を設けているため、外蓋２０を単純な形状にし、肉厚を均一にすることができる。このため、外蓋２０の表面側に「ひけ」が生じ難く、見栄えの良い便蓋にすることができる。
【００３６】
また、この便蓋では、内蓋１０の下面１６に弾性部材７０を必要最小限の大きさで突出させることができ、内蓋１０の下面１６の凹凸を小さくすることができるため、便蓋の裏面側の汚れの拭き取りを容易にすることができる。また、便蓋の裏面側をすっきりとした見栄えにすることができる。
【産業上の利用可能性】
【００３７】
本発明は暖房便座付き洋風水洗式便器等に利用可能である。
【図面の簡単な説明】
【００３８】
【図１】実施例１の便蓋の分解斜視図である。
【図２】実施例１の便蓋の一部を示す分解断面図である。
【図３】実施例１の便蓋の一部を示す断面図である。
【図４】実施例２の便蓋を便器に取り付けた状態の一部を示す断面図である。
【図５】実施例２の便蓋の断面図である。
【符号の説明】
【００３９】
１０…内蓋
１１…（内蓋の）上面
１２…（内蓋の）外側面
１３…（内蓋の外側面の）端部
１４…（内蓋の）端面
２０…外蓋
２１…（外蓋の）上面
２２…（外蓋の）外側面
２３…（外蓋の）端面
２４…（外蓋の）内側面
２７…（外蓋の）下面
３０…表面材
３１…（表面材の）端部
４０…モール部材
５０…空間
６０…断熱材
７０…弾性部材
８０…便座
【図１】
2008142214.tif 000003
【図２】
2008142214.tif 000004
【図３】
2008142214.tif 000005
【図４】
2008142214.tif 000006
【図５】
2008142214.tif 000007